(57)【要約】【課題】学習に有効な電子単語帳及びこれを備える電子手帳を提供する。【解決手段】問題と当該問題の解答とを参照可能な電子単語帳において、ユーザから問題と当該問題の解答との手書き入力を受付ける入力部と、前記入力部で受付けた問題と当該問題の解答とを対にして記憶する記憶部と、前記記憶部に対にして記憶された問題或いは当該問題の解答を表示する表示部と、前記記憶部に記憶された問題と当該問題の解答とを交互に前記表示部に表示させる制御部とを備える。【選択図】図１
2007133134.tif 000002
【特許請求の範囲】
【請求項１】
問題と当該問題の解答とを参照可能な電子単語帳において、
ユーザから問題と当該問題の解答との手書き入力を受付ける入力部と、
前記入力部で受付けた問題と当該問題の解答とを対にして記憶する記憶部と、
前記記憶部に対にして記憶された問題或いは当該問題の解答を表示する表示部と、
前記記憶部に記憶された問題と当該問題の解答とを交互に前記表示部に表示させる制御部とを備える電子単語帳。
【請求項２】
前記制御部は、前記入力部がユーザから受付けた指示に基づいて、前記記憶部に対にして記憶された問題と当該問題の解答とを交互に前記表示部に表示させることを特徴とする請求項１に記載の電子単語帳。
【請求項３】
前記制御部は、所定時間が経過する毎に、前記記憶部に対にして記憶された問題と当該問題の解答とを交互に前記表示部に表示させることを特徴とする請求項１に記載の電子単語帳。
【請求項４】
前記制御部は、前記記憶部が記憶した問題と当該問題の解答とが複数対ある場合、前記記憶部が記憶した順番に基づいて、前記記憶部に対にして記憶された問題或いは当該問題の解答を前記表示部に表示させることを特徴とする請求項２又は３に記載の電子単語帳。
【請求項５】
前記入力部は、タッチパネルであることを特徴とする請求項１〜４のいずれかに記載の電子単語帳。
【請求項６】
前記記憶部は、前記電子単語帳に着脱自在に備えられることを特徴とする請求項１〜５のいずれかに記載の電子単語帳。
【請求項７】
前記記憶部は、磁気カード、ＩＣカード、光カードのいずれかであることを特徴とする請求項６に記載の電子単語帳。
【請求項８】
前記問題は単語であり、前記問題の解答は単語の意味であることを特徴とする請求項１〜７のいずれかに記載の電子単語帳。
【請求項９】
請求項１〜８のいずれかに記載の電子単語帳を備える電子手帳。
【発明の詳細な説明】
【技術分野】
【０００１】
本発明は、電子単語帳及びこれを備える電子手帳に関し、より特定的には、学習に有効な電子単語帳及びこれを備える電子手帳に関する。
【背景技術】
【０００２】
従来より、一般に使用される辞書を電子的に利用する電子辞書がある。これは、大容量のメモリに単語や熟語のデータを予め記憶させておき、ユーザが単語や熟語を参照する際には、ユーザの指示に対応するデータが読出されて、表示されるという装置である。このような電子辞書には、一度参照された単語や熟語が自動的に別の学習エリアに移されてリスト化され、その単語リストの単語がユーザの指示に基づき、順次表示されるようにした単語帳機能を搭載するものがある。
【０００３】
この単語帳機能を利用する際には、学習したら‘学習済み’、学習していないのであれば、‘未学習’の属性がそのリストの単語に付される。そして、‘未学習’の属性が付された単語のみからなる単語リストが作成され、ユーザは単語の学習を効率良く且つ有効に行うことができる（例えば、特許文献１）。
【特許文献１】特開昭６３−４１８８６号公報
【発明の開示】
【発明が解決しようとする課題】
【０００４】
しかしながら、従来の電子辞書の単語帳機能では、単語辞書データが予め大容量のメモリに記憶されており、その中の単語が参照されると、参照された単語が自動的に別の学習エリアに移される。すなわち、ユーザにとっては、単に参照しさえすれば単語リストが生成されるため、努力を要することがない。このように努力を要することなく単語リストが生成される方法を用いて、ユーザが単語の学習をする場合、暗記する意志が損なわれるため、有効な単語の学習ができない。
【０００５】
本発明は、このような問題に鑑みてなされた。すなわち、学習に有効な電子単語帳及びこれを備える電子手帳を提供することを目的とする。
【課題を解決するための手段】
【０００６】
本発明は、問題と当該問題の解答とを参照可能な電子単語帳を前提としている。本発明は、ユーザから問題と当該問題の解答との手書き入力を受付ける入力部と、前記入力部で受付けた問題と当該問題の解答とを対にして記憶する記憶部と、前記記憶部に対にして記憶された問題或いは当該問題の解答を表示する表示部と、前記記憶部に記憶された問題と当該問題の解答とを交互に前記表示部に表示させる制御部とを備える構成としている。
【０００７】
このようにすれば、ユーザは、問題と当該問題の解答とを手書き入力するため、暗記する意志が喚起され、学習に有効である。更に、手書き入力することで、手作り感がわいて、電子単語帳に愛着が持てるため、学習意欲が促進される。
【０００８】
なお、前記制御部は、前記入力部がユーザから受付けた指示に基づいて、前記記憶部に対にして記憶された問題と当該問題の解答とを交互に前記表示部に表示させる構成としてもよい。
【０００９】
このようにすれば、ユーザの意志に沿って、問題と当該問題の解答とが交互に表示されるため、ユーザにとって最適な学習ができる。
【００１０】
なお、前記制御部は、所定時間が経過する毎に、前記記憶部に対にして記憶された問題と当該問題の解答とを交互に前記表示部に表示させる構成としてもよい。
【００１１】
このようにすれば、所定時間が経過する毎に、問題と当該問題の解答とが交互に表示されるため、ユーザにとって効率的な学習ができる。
【００１２】
なお、前記制御部は、前記記憶部が記憶した問題と当該問題の解答とが複数対ある場合、前記記憶部が記憶した順番に基づいて、前記記憶部に対にして記憶された問題或いは当該問題の解答を前記表示部に表示させる構成としてもよい。
【００１３】
このようにすれば、ユーザが記憶部に記憶させた順番に、問題或いは当該問題の解答が表示されるため、手作り感がわいて、電子単語帳に愛着が持てるため、学習意欲が促進される。
【００１４】
なお、前記入力部は、タッチパネルである構成としてもよい。このようにすれば、手書き入力ができるため、操作利便性が高まる。更に、手書き入力することで、手作り感がわいて、電子単語帳に愛着が持てるため、学習意欲が促進される。
【００１５】
なお、前記記憶部は、前記電子単語帳に着脱自在に備えられる構成としてもよい。
【００１６】
このようにすれば、他の端末にも装着して利用できるため、汎用性が高まる。また、前記記憶部は、磁気カード、ＩＣカード、光カードのいずれかである構成としてもよい。
【００１７】
なお、前記問題は単語であり、前記問題の解答は単語の意味である構成としてもよい。
【００１８】
なお、上述した電子単語帳を備える電子手帳を構成してもよい。
【００１９】
このようにすれば、電子単語帳の機能が、電子手帳の各種の機能と融合されることで、ユーザにとって、利便性の高い電子手帳を構成することができる。
【発明の効果】
【００２０】
本発明は、実施の形態から明らかなように、学習に有効な電子単語帳及びこれを備える電子手帳を提供することができる。
【発明を実施するための最良の形態】
【００２１】
以下、本発明の実施の形態に係る電子単語帳１００について、図面を参照しながら説明する。
【００２２】
図１は、本発明の実施の形態に係る電子単語帳１００を示す模式図である。図１において、電子単語帳１００は、電子単語帳本体１１０とタッチペン１２０とを備えている。タッチペン１２０は、ユーザが電子単語帳１００を使用しないときは、ホルダ１３０に収容され、ユーザが電子単語帳１００を使用するときに、ホルダ１３０から取り外して使用される。
【００２３】
次に、電子単語帳１００の内部構成について、図２を用いて説明する。図２に示すように、電子単語帳１００は、制御部２００、入力部２１０、変換部２２０、記憶部２３０及び表示部２４０を備えている。
【００２４】
制御部２００は、電子単語帳１００の装置全体の処理を制御する。入力部２１０は、ユーザから単語と当該単語の意味との手書き入力を受付ける、例えば、タッチパネルである。入力部２１０は、タッチペン１２０の先端が入力部２１０の表面を押圧している間、タッチペン１２０が出力した赤外線信号を受信し、受信した赤外線信号を入力信号として受付けることによって、手書き入力を受付ける。変換部２２０は、入力部２１０で受付けた手書き入力のアナログ信号をビットマップデータに変換する。
【００２５】
記憶部２３０は、変換部２２０で変換して得られた手書き入力の単語データと当該単語の意味データとを対にして記憶するメモリである。記憶部２３０は、例えば、磁気カード、ＩＣカード、光カードでもよい。また、記憶部２３０は、電子単語帳本体１１０に対して、着脱自在に備えられる構成としてもよい。表示部２４０は、記憶部２３０に対にして記憶された単語データの表す単語或いは当該単語の意味データの表す単語の意味を表示する。
【００２６】
次に、本発明の実施の形態に係る電子単語帳１００の動作について、図３のフロー図を用いて説明する。
【００２７】
ユーザが電子単語帳本体１１０の電源をオンすると（ステップＳ３０１）、制御部２００は、図１に示すようなメニュー画面を表示部２４０に表示させる。ユーザは、メニュー画面に従って、‘単語登録’ボタン或いは‘単語帳’ボタンのいずれかをタッチペン１２０でタッチする。
【００２８】
ここで、‘単語登録’ボタンは、ユーザが、電子単語帳１００に新規に単語を登録する場合に選択されるボタンである。また、‘単語帳’ボタンは、ユーザが、電子単語帳１００に既に登録されている単語を参照して学習をする場合に選択されるボタンである。
【００２９】
制御部２００は、‘単語登録’ボタンがタッチペン１２０でタッチされたか否かに基づいて、ユーザが単語登録するのか否かを判定する（ステップＳ３０２）。すなわち、‘単語登録’ボタンがタッチペン１２０でタッチされると、ユーザが単語登録すると判定する。また、‘単語登録’ボタン以外のボタンがタッチペン１２０でタッチされると、ユーザが単語登録しないと判定する。
【００３０】
ステップＳ３０２において、制御部２００は、ユーザが単語登録しないと判定した場合、後述する、ユーザが電子単語帳１００を学習するために使用するか否かの判定処理ステップＳ３０５に移行する。
【００３１】
一方、ステップＳ３０２において、制御部２００は、ユーザが単語登録すると判定した場合、図４に示すような単語登録画面４００を表示部２４０に表示させる。単語登録画面４００が表示部２４０に表示されると、ユーザは、新規に登録したい単語と当該単語の意味とをタッチペン１２０で、入力部２１０の所定の領域に手書き入力する。
【００３２】
入力部２１０が単語と当該単語の意味との手書き入力を受付けると、変換部２２０は、入力部２１０が受付けた手書き入力のアナログ信号をビットマップデータに変換して、制御部２００及び表示部２４０に転送する。ここでは、手書き入力の単語の表すアナログ信号をビットマップデータである単語データに変換し、当該単語の意味を表すアナログ信号をビットマップデータである当該単語の意味データに変換する。
【００３３】
表示部２４０は、変換部２２０から転送されてくる単語データの表す単語と当該単語の意味データの表す単語の意味を表示する。ユーザは、表示部２４０に表示された単語と当該単語の意味とを確認して、更に‘単語登録’ボタンをタッチペン１２０でタッチすることにより、単語と当該単語の意味とを電子単語帳１００に登録する（ステップＳ３０２及びＳ３０３）。
【００３４】
また、制御部２００は、変換部２２０から転送されてくる単語データと当該単語の意味データとを一旦保持する。制御部２００は、単語登録画面４００において、‘単語登録’ボタンがタッチペン１２０でタッチされると、保持している単語データと当該単語の意味データとを記憶部２３０に転送する。記憶部２３０は、制御部２００から転送されくる単語データと当該単語の意味データを受取ると、図５の記憶テーブル５００に示すように、単語データと当該単語の意味データとを対にして記憶する。これにより、単語データの表す単語と当該単語の意味データの表す単語の意味とが対にして電子単語帳１００に登録される。なお、本実施の形態では、登録される単語と当該単語の意味とが複数対あるものと仮定する。
【００３５】
また、制御部２００は、登録画面４００において、‘登録終了’ボタンがタッチペン１２０でタッチされたか否かに基づいて、単語登録が終了したのか否かを判定する（ステップＳ３０４）。すなわち、‘登録終了’ボタンがタッチペン１２０でタッチされると、単語登録が終了したと判定する。また、‘登録終了’ボタン以外のボタンがタッチペン１２０でタッチされると、単語登録が終了していないと判定する。なお、制御部２００は、‘消去’ボタンがタッチされると、手書き入力途中の表示部２４０に表示されている入力文字に対応する入力データを消去する。
【００３６】
ステップＳ３０４において、制御部２００は、単語登録が終了していないと判定した場合、‘登録終了’ボタンがタッチペン１２０でタッチされるまで、単語登録の処理を繰り返す。
【００３７】
一方、ステップＳ３０４において、制御部２００は、単語登録が終了したと判定した場合、メニュー画面を表示部２４０に表示させる。更に、制御部２００は、‘単語帳’ボタンがタッチペン１２０でタッチされたか否かに基づいて、ユーザが学習するために電子単語帳１００を使用するか否かを判定する（ステップＳ３０５）。すなわち、‘単語帳’ボタンがタッチペン１２０でタッチされると、ユーザが学習するために電子単語帳１００を使用すると判定する。
【００３８】
ステップＳ３０５において、制御部２００は、ユーザが学習するために電子単語帳１００を使用しないと判定した場合、電源がオフされたか否かを判定する（ステップＳ３０５及びＳ３１２）。ステップＳ３１２において、制御部２００は、電源がオフされていないと判定した場合、単語登録するか否かの判定処理Ｓ３０２に戻る（ステップＳ３１２及びステップＳ３０２）。一方、ステップＳ３１２において、制御部２００は、電源がオフされたと判定した場合、処理を終了する。
【００３９】
一方、ステップＳ３０５において、制御部２００は、ユーザが学習するために電子単語帳１００を使用すると判定した場合、記憶部２３０が記憶した順番に、記憶部２３０に記憶されている単語データを一つずつ読出し、図６の単語参照画面６００に示すように、読出した単語データの表す単語を一つずつ表示部２４０に表示させる（ステップＳ３０６）。
【００４０】
図６の単語参照画面６００において、‘前の単語’ボタンは、前回参照した単語を再度表示させる場合に選択されるボタンである。また、‘意味’ボタンは、現在参照している単語の意味を表示させる場合に選択されるボタンである。また、‘次の単語’ボタンは、表示される順番に従った次の単語を表示させる場合に選択されるボタンである。
【００４１】
制御部２００は、‘意味’ボタンがタッチペン１２０でタッチされたか否かに基づいて、ユーザが、単語参照画面６００に表示された単語の意味を参照するか否かを判定する（ステップＳ３０７）。すなわち、‘意味’ボタンがタッチペン１２０でタッチされると、ユーザが意味を参照すると判定する。また、‘意味’ボタン以外のボタンがタッチペン１２０でタッチされると、ユーザが意味を参照しないと判定する。
【００４２】
ステップＳ３０７において、制御部２００は、ユーザが意味を参照しないと判定した場合、後述する、ユーザが次の単語を参照するか否かの判定処理ステップＳ３１０に移行する（ステップＳ３０７及びステップＳ３１０）。
【００４３】
一方、ステップＳ３０７において、制御部２００は、ユーザが意味を参照すると判定した場合、単語参照画面６００に表示された単語の単語データと対にして、記憶部２３０に記憶されている単語の意味データを記憶部２３０から読出し、図７の意味参照画面７００に示すように、読出した単語の意味データの表す単語の意味を表示部２４０に表示させる（ステップＳ３０７及びＳ３０８）。
【００４４】
図７の意味参照画面７００において、‘前の単語’ボタンは、前回参照した単語を再度表示させる場合に選択されるボタンである。また、‘元の単語’ボタンは、現在参照している単語の意味に対応する元の単語を表示させる場合に選択されるボタンである。また、‘次の単語’ボタンは、表示される順番に従った次の単語を表示させる場合に選択されるボタンである。
【００４５】
制御部２００は、‘元の単語’ボタンがタッチペン１２０でタッチされたか否かに基づいて、ユーザが、意味参照画面７００に表示された単語の意味に対応する元の単語を参照するか否かを判定する（ステップＳ３０９）。すなわち、‘元の単語’ボタンがタッチペン１２０でタッチされると、ユーザが元の単語を参照すると判定する。また、‘元の単語’ボタン以外のボタンがタッチペン１２０でタッチされると、ユーザが元の単語を参照しないと判定する。
【００４６】
ステップＳ３０９において、制御部２００は、ユーザが元の単語を参照すると判定した場合、元の単語に対応する単語データを記憶部２３０から読出し、読出した単語データの表す元の単語を表示部２４０に表示させる（ステップＳ３０９及びステップＳ３０６）。
【００４７】
一方、ステップＳ３０９において、制御部２００は、ユーザが元の単語を参照しないと判定した場合、‘次の単語’ボタンがタッチペン１２０でタッチされたか否かに基づいて、ユーザが次の単語を参照するか否かを判定する（ステップＳ３０９及びステップＳ３１０）。すなわち、‘次の単語’ボタンがタッチペン１２０でタッチされると、ユーザが次の単語を参照すると判定する。また、‘次の単語’ボタン以外のボタンがタッチペン１２０でタッチされると、ユーザが次の単語を参照しないと判定する。
【００４８】
ステップＳ３１０において、制御部２００は、ユーザが次の単語を参照すると判定した場合、次の単語に対応する単語データを記憶部２３０から読出し、読出した単語データの表す次の単語を表示部２４０に表示させる（ステップＳ３１０及びステップＳ３０６）。
【００４９】
一方、ステップＳ３１０において、制御部２００は、ユーザが次の単語を参照しないと判定した場合、‘前の単語’ボタンがタッチペン１２０でタッチされたか否かに基づいて、ユーザが前の単語を参照するか否かを判定する（ステップＳ３１０及びステップＳ３１１）。すなわち、‘前の単語’ボタンがタッチペン１２０でタッチされると、ユーザが前の単語を参照すると判定する。また、‘前の単語’ボタン以外のボタンがタッチペン１２０でタッチされると、ユーザが前の単語を参照しないと判定する。
【００５０】
ステップＳ３１１において、制御部２００は、ユーザが前の単語を参照すると判定した場合、前の単語に対応する単語データを記憶部２３０から読出し、読出した単語データの表す前の単語を表示部２４０に表示させる（ステップＳ３１１及びステップＳ３０６）。
【００５１】
一方、ステップＳ３１１において、制御部２００は、ユーザが前の単語を参照しないと判定した場合、電源がオフされたか否かを判定する（ステップＳ３１１及びステップＳ３１２）。ステップＳ３１２において、制御部２００は、電源がオフされていないと判定した場合、単語登録するか否かの判定処理Ｓ３０２に戻る（ステップＳ３１２及びステップＳ３０２）。一方、ステップＳ３１２において、制御部２００は、電源がオフされたと判定した場合、処理を終了する。
【００５２】
すなわち、上記構成によれば、ユーザは、問題と当該問題の解答とを手書き入力するため、暗記する意志が喚起され、学習に有効である。更に、手書き入力することで、手作り感がわいて、電子単語帳に愛着が持てるため、学習意欲が促進される。
【００５３】
また、ユーザの意志に沿って、問題と当該問題の解答とが交互に表示されるため、ユーザにとって最適な学習ができる。また、ユーザが記憶部に記憶させた順番に、問題或いは当該問題の解答が表示されるため、手作り感がわいて、電子単語帳に愛着が持てるため、学習意欲が促進される。
【００５４】
また、入力部２１０は、タッチパネルとしたことで、手書き入力ができるため、操作利便性が高まる。更に、手書き入力することで、手作り感がわいて、電子単語帳に愛着が持てるため、学習意欲が促進される。また、記憶部２３０は、電子単語帳に着脱自在に備えられる構成とすれば、他の端末にも装着して利用できるため、汎用性が高まる。
【００５５】
なお、上記実施の形態では、ユーザが単語或いは当該単語の意味を参照する場合、‘元の単語’ボタン或いは‘意味’ボタンをタッチペン１２０でタッチすることで、単語と当該単語の意味とを交互に表示部２４０に表示させていたが、表示状態が所定時間経過する毎に、単語と当該単語の意味とを交互に表示部２４０に表示させる構成としてもよい。この構成によれば、所定時間が経過する毎に、問題と当該問題の解答とが交互に表示されるため、ユーザにとって効率的な学習ができる。
【００５６】
なお、上記実施の形態では、電子単語帳１００を利用して学習する場合の一例として、問題の例として単語を挙げ、問題の解答の例として単語の意味を挙げたが、この例に限らず、例えば、単語の意味と単語、数式とその数式の解答、図とその図の意味、記号とその記号の意味等を電子単語帳１００を利用して学習する場合にも適用される。
【００５７】
なお、上述した電子単語帳１００を備える電子手帳を構成しても、同等の効果を得ることができる。この場合、電子単語帳１００の機能が、電子手帳の各種の機能と融合されることで、ユーザにとって、利便性の高い電子手帳を構成することができる。
【００５８】
上記実施の形態で説明した構成は、単に具体例を示すものであり、本願発明の技術的範囲を制限するものではない。本願の効果を奏する範囲において、任意の構成を採用することが可能である。
【産業上の利用可能性】
【００５９】
本発明は電子単語帳及びこれを備える電子手帳として有用である。
【図面の簡単な説明】
【００６０】
【図１】本発明の実施の形態に係る電子単語帳の全体構成を示す模式図
【図２】本発明の実施の形態に係る電子単語帳の構成の一例を示すブロック図
【図３】本発明の実施の形態に係る電子単語帳の動作を示すフロー図
【図４】単語登録画面の一例を示す図
【図５】記憶テーブルの一例を示す図
【図６】単語参照画面の一例を示す図
【図７】意味参照画面の一例を示す図
【符号の説明】
【００６１】
１００  電子単語帳
１１０  電子単語帳本体
１２０  タッチペン
１３０  ホルダ
２００  制御部
２１０  入力部
２２０  変換部
２３０  記憶部
２４０  表示部
【図１】
2007133134.tif 000003
【図２】
2007133134.tif 000004
【図３】
2007133134.tif 000005
【図４】
2007133134.tif 000006
【図５】
2007133134.tif 000007
【図６】
2007133134.tif 000008
【図７】
2007133134.tif 000009